【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
ドッキングホストによって管理されるドッキング環境と被ドッキング物をドッキングさせるために前記ドッキングホストにおいて動作可能な方法であって、
ワイヤレス充電器への前記被ドッキング物の着座に応じて前記ドッキングホストから前記被ドッキング物に信用情報を送信することと、
前記被ドッキング物との認証／関連付け動作を開始することを求める要求を前記被ドッキング物から受信することと、
前記信用情報に従って前記被ドッキング物を前記ドッキング環境とドッキングさせることと、を備える、方法。
【請求項２】
無線充電回路は、近接場通信のために構成され、信用情報を前記送信することは、前記無線充電回路を利用することを備える請求項１に記載の方法。
【請求項３】
信用情報を前記送信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項１に記載の方法。
【請求項４】
前記被ドッキング物と前記ドッキング環境との前記ドッキングは、Ｂｌｕｅｔｏｏｔｈ
Ｌｏｗ  Ｅｎｅｒｇｙ（ＢＴＬＥ）通信インタフェース又はＷｉ−Ｆｉ通信インタフェースのうちの１つを利用することを備える請求項１に記載の方法。
【請求項５】
前記ワイヤレス充電器は、前記ドッキングホストと一体である請求項１に記載の方法。
【請求項６】
前記被ドッキング物が前記ドッキング環境とドッキングされた状態である間に前記ワイヤレス充電器上において前記被ドッキング物以外のデバイスを受信することと、
前記デバイスとドッキングせずに前記ワイヤレス充電器を利用して前記デバイスを充電することと、をさらに備える請求項１に記載の方法。
【請求項７】
前記被ドッキング物と通信するための通信インタフェースの不活動を示す不活動タイマの時間切れに応答して前記被ドッキング物と前記ドッキング環境との前記ドッキングを終了させることをさらに備える請求項１に記載の方法。
【請求項８】
ドッキングホストによって管理されるドッキング環境とドッキングするために被ドッキング物において動作可能な方法であって、
ワイヤレス充電器への前記被ドッキング物の着座に応じて前記ドッキングホストから信用情報を受信することと、
前記ドッキングホストとの認証／関連付け動作を開始することを求める要求を送信することと、
前記信用情報に従って前記ドッキング環境とドッキングすることと、を備える、方法。
【請求項９】
無線充電インタフェースは、近接場通信のために構成され、信用情報を前記受信することは、前記無線充電インタフェースを利用することを備える請求項８に記載の方法。
【請求項１０】
信用情報を前記受信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項８に記載の方法。
【請求項１１】
前記ドッキング環境との前記ドッキングは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備える請求項８に記載の方法。
【請求項１２】
前記ワイヤレス充電器から取り外されている間に前記ドッキング環境との前記ドッキングを維持することをさらに備える請求項８に記載の方法。
【請求項１３】
ドッキングホストによって管理されるドッキング環境と被ドッキング物をドッキングさせるために構成される前記ドッキングホストであって、
ワイヤレス充電器への前記被ドッキング物の着座に応じて前記ドッキングホストから前記被ドッキング物に信用情報を送信するための手段と、
前記被ドッキング物との認証／関連付け動作を開始することを求める要求を前記被ドッキング物から受信するための手段と、
前記信用情報に従って前記被ドッキング物を前記ドッキング環境とドッキングさせるための手段と、を備える、ドッキングホスト。
【請求項１４】
ドッキングホストによって管理されるドッキング環境とドッキングするために構成された被ドッキング物であって、
ワイヤレス充電器への前記被ドッキング物の着座に応じて前記ドッキングホストから信用情報を受信するための手段と、
前記ドッキングホストとの認証／関連付け動作を開始することを求める要求を送信するための手段と、
前記信用情報に従って前記ドッキング環境とドッキングするための手段と、を備える、被ドッキング物。
【請求項１５】
請求項１乃至１２のうちの１つの請求項に記載の方法を実行するための命令を備える、コンピュータによって読み取り可能な記憶媒体。
【手続補正２】
【補正対象書類名】明細書
【補正対象項目名】０１１２
【補正方法】変更
【補正の内容】
【０１１２】
［００１２４］前の説明は、当業者がここにおいて説明される様々な態様を実践するのを可能にするために提供される。これらの実施形態に対する様々な修正は、当業者にとって容易に明確になるであろう、及びここにおいて定められる一般原理は、その他の態様に対しても適用することができる。以上のように、請求項は、ここにおいて説明される態様に限定されることが意図されるものではなく、請求項の文言に一致する限りにおいて最も広範な適用範囲が認められるべきであり、ここにおいて、単数形の要素への言及は、特記がない限り“１つ及び１つのみ”を意味することは意図されておらず、むしろ“１つ以上を”意味する。その他の特記がない限り、表現“幾つか”は、１つ以上を意味する。“項目のリスト中の少なくとも１つ”に言及する句は、それらの項目のあらゆる組み合わせを意味し、単数を含む。一例として、“ａ、ｂ、又はｃのうちの少なくとも１つ”は、ａ、ｂ、ｃ、ａとｃ、ｂとｃ、及びａ、ｂ及びｃを網羅することが意図される。当業者に知られている又はのちに知られることになる、本開示全体を通じて説明される様々な態様の要素のすべての構造上及び機能上の同等物は、ここにおける引用によって明示でここに組み入れられており、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句 “ための手段”を用いて明示で記述されていない限り、又は、方法請求項の場合は、その要素が句“ためのステップ”を用いて記述されていない限り、３５Ｕ．Ｓ．Ｃ．§１１２の第6段落の規定に基づいて解釈されるべきではない。
以下に、出願当初の特許請求の範囲に記載された発明を付記する。
［Ｃ１］
ドッキングホストによって管理されるドッキング環境と被ドッキング物をドッキングさせるために前記ドッキングホストにおいて動作可能な方法であって、
ワイヤレス充電器への前記被ドッキング物の着座に応じて前記ドッキングホストから前記被ドッキング物に信用情報を送信することと、
前記被ドッキング物との認証／関連付け動作を開始することを求める要求を前記被ドッキング物から受信することと、
前記信用情報に従って前記被ドッキング物を前記ドッキング環境とドッキングさせることと、を備える、方法。
［Ｃ２］
無線充電回路は、近接場通信のために構成され、信用情報を前記送信することは、前記無線充電回路を利用することを備えるＣ１に記載の方法。
［Ｃ３］
信用情報を前記送信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備えるＣ１に記載の方法。
［Ｃ４］
前記被ドッキング物と前記ドッキング環境との前記ドッキングは、Ｂｌｕｅｔｏｏｔｈ
Ｌｏｗ  Ｅｎｅｒｇｙ（ＢＴＬＥ）通信インタフェース又はＷｉ−Ｆｉ通信インタフェースのうちの１つを利用することを備えるＣ１に記載の方法。
［Ｃ５］
前記ワイヤレス充電器は、前記ドッキングホストと一体であるＣ１に記載の方法。
［Ｃ６］
前記被ドッキング物が前記ドッキング環境とドッキングされた状態である間に前記ワイヤレス充電器上において前記被ドッキング物以外のデバイスを受信することと、
前記デバイスとドッキングせずに前記ワイヤレス充電器を利用して前記デバイスを充電することと、をさらに備えるＣ１に記載の方法。
［Ｃ７］
前記被ドッキング物と通信するための通信インタフェースの不活動を示す不活動タイマの時間切れに応答して前記被ドッキング物と前記ドッキング環境との前記ドッキングを終了させることをさらに備えるＣ１に記載の方法。
［Ｃ８］
ドッキングホストによって管理されるドッキング環境とドッキングするために被ドッキング物において動作可能な方法であって、
ワイヤレス充電器への前記被ドッキング物の着座に応じて前記ドッキングホストから信用情報を受信することと、
前記ドッキングホストとの認証／関連付け動作を開始することを求める要求を送信することと、
前記信用情報に従って前記ドッキング環境とドッキングすることと、を備える、方法。
［Ｃ９］
前記無線充電インタフェースは、近接場通信のために構成され、信用情報を前記受信することは、前記無線充電インタフェースを利用することを備えるＣ８に記載の方法。
［Ｃ１０］
信用情報を前記受信することは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備えるＣ８に記載の方法。
［Ｃ１１］
前記ドッキング環境との前記ドッキングは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを利用することを備えるＣ８に記載の方法。
［Ｃ１２］
前記ワイヤレス充電器から取り外されている間に前記ドッキング環境との前記ドッキングを維持することをさらに備えるＣ８に記載の方法。
［Ｃ１３］
ドッキングホストによって管理されるドッキング環境と被ドッキング物をドッキングさせるために前記ドッキングホストにおいて動作可能な方法であって、
前記ドッキングホストへの前記被ドッキング物の着座の時点で前記ドッキングホストにおける無線充電回路を前記被ドッキング物と結合させることと、
前記被ドッキング物のドッキング意思を示す情報を、前記ドッキングホストにおける前記無線充電回路から前記ワイヤレスドッキングホストにおけるドッキング回路に送信することと、
前記被ドッキング物の前記ドッキング意思に従って前記被ドッキング物を前記ドッキング環境とドッキングさせることと、を備える、方法。
［Ｃ１４］
前記無線充電回路は、前記ドッキングホストと一体であるワイヤレス充電器の一部であるＣ１３に記載の方法。
［Ｃ１５］
前記被ドッキング物が前記ドッキング環境とドッキングされた状態である間に前記ワイヤレス充電器上において前記被ドッキング物以外のデバイスを受信することと、
前記デバイスとドッキングせずに前記ワイヤレス充電器を利用して前記デバイスを充電することと、をさらに備えるＣ１４に記載の方法。
［Ｃ１６］
前記被ドッキング物と通信するための通信インタフェースの不活動を示す不活動タイマの時間切れに応答して前記被ドッキング物と前記ドッキング環境との前記ドッキングを終了させることをさらに備えるＣ１３に記載の方法。
［Ｃ１７］
ドッキングホストによって管理されるドッキング環境とドッキングするために被ドッキング物において動作可能な方法であって、
前記ドッキングホストに着座することであって、前記ドッキングホストは、無線充電回路を備えることと、
前記被ドッキング物のドッキング意思に従って前記ドッキング環境とドッキングすることであって、前記ドッキング意思は、前記ドッキングホストへの前記着座によって前記ドッキングホストにシグナリングされることと、を備える、方法。
［Ｃ１８］
前記ワイヤレス充電器から取り外されている間に前記ドッキング環境との前記ドッキングを維持することをさらに備えるＣ１７に記載の方法。
［Ｃ１９］
ドッキングホストによって管理されるドッキング環境とドッキングするために被ドッキング物において動作可能な方法であって、
前記被ドッキング物におけるワイヤレス充電インタフェースを利用してワイヤレス充電器との結合を確立するために前記ワイヤレス充電器に着座することと、
前記被ドッキング物におけるワイヤレスドッキングホストインタフェースを通じて、前記ワイヤレス充電器への前記着座に応じて前記ドッキングホストに信用情報を送信することと、
前記信用情報に従って前記ドッキング環境とドッキングすることと、を備え、前記ドッキング環境は、前記ワイヤレス充電器を周辺機器として備える、方法。
［Ｃ２０］
前記ワイヤレスドッキングホストインタフェースは、Ｂｌｕｅｔｏｏｔｈ  Ｌｏｗ  Ｅｎｅｒｇｙ（ＢＴＬＥ）通信インタフェース又はＷｉ−Ｆｉ通信インタフェースのうちの１つを備えるＣ１９に記載の方法。
［Ｃ２１］
前記ワイヤレス充電器への前記着座の前に、前記ドッキングホストとの第１のドッキングセッションを確立することと、
前記第１のドッキングセッションに従って前記被ドッキング物において前記信用情報を格納することと、
前記ワイヤレス充電器への前記着座の前に前記第１のドッキングセッションを終了させることと、をさらに備えるＣ１９に記載の方法。
［Ｃ２２］
ワイヤレス充電器を備える周辺機器が被ドッキング物を無線で充電するのを可能にするためにドッキングホストにおいて動作可能な方法であって、
前記ドッキングホストにおいてワイヤレス被ドッキング物インタフェースを利用して前記被ドッキング物とのドッキングセッションを確立することと、
前記被ドッキング物が前記ワイヤレス充電器に着座したことを示す情報を前記ワイヤレス充電器から受信することと、
無線充電機能が認可されていることを示す権限を前記ワイヤレス充電器に送信することと、を備える、方法。
［Ｃ２３］
前記ワイヤレス被ドッキング物インタフェースは、Ｗｉ−Ｆｉ通信のために構成されるＣ２２に記載の方法。
［Ｃ２４］
モバイルデバイスを無線で充電するためにワイヤレス充電器において動作可能な方法であって、
ドッキングホストと対にすることであって、前記ワイヤレス充電器は、前記ドッキングホストによって管理されるドッキング環境における周辺機器であることと、
前記モバイルデバイスが前記ワイヤレス充電器に着座していると決定することと、
前記モバイルデバイスを無線で充電するための権限を前記ドッキングホストに要求することと、
前記ドッキングホストから前記権限を受信することと、
前記モバイルデバイスを充電するための無線充電機能をイネーブルにすることと、を備える、方法。
［Ｃ２５］
ドッキングホストによって管理されるドッキング環境と被ドッキング物をドッキングさせるために構成された前記ドッキングホストであって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合されたワイヤレス被ドッキング物インタフェースと、を備え、
前記少なくとも１のプロセッサは、
ワイヤレス充電器への前記被ドッキング物の着座に応じて前記被ドッキング物に信用情報を送信し、
前記被ドッキング物との認証／関連付け動作を開始することを求める要求を前記被ドッキング物から受信し、及び
前記信用情報に従って前記被ドッキング物を前記ドッキング環境とドッキングさせるように構成される、ドッキングホスト。
［Ｃ２６］
前記無線充電回路は、近接場通信のために構成され、前記少なくとも１つのプロセッサは、信用情報を送信するように構成され、前記信用情報を送信するために前記無線充電回路を利用するようにさらに構成されるＣ２５に記載のドッキングホスト。
［Ｃ２７］
前記少なくとも１つのプロセッサは、
前記被ドッキング物が前記ドッキング環境とドッキングされた状態である間に前記ワイヤレス充電器回路上において前記被ドッキング物以外のデバイスを受信することと、
前記デバイスとドッキングせずに前記ワイヤレス充電回路を利用して前記デバイスを充電するようにさらに構成されるＣ２５に記載のドッキングホスト。
［Ｃ２８］
前記少なくとも１つのプロセッサは、
前記被ドッキング物と通信するための通信インタフェースの不活動を示す不活動タイマの時間切れに応答して前記被ドッキング物と前記ドッキング環境との前記ドッキングを終了させるようにさらに構成されるＣ２５に記載のドッキングホスト。
［Ｃ２９］
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合された通信インタフェースと、を備え、
前記少なくとも１のプロセッサは、
ワイヤレス充電器への前記被ドッキング物の着座に応じて前記ドッキングホストから信用情報を受信し、
前記ドッキングホストとの認証／関連付け動作を開始することを求める要求を送信し、及び
前記信用情報に従って前記ドッキング環境とドッキングするように構成される、被ドッキング物。
［Ｃ３０］
前記無線充電回路は、近接場通信のために構成され、信用情報を前記受信することは、前記無線充電インタフェースを利用することを備えるＣ２９に記載の被ドッキング物。
［Ｃ３１］
前記少なくとも１つのプロセッサは、前記ワイヤレス充電器から取り外されている間に前記ドッキング環境との前記ドッキングを維持するようにさらに構成されるＣ２９に記載の被ドッキング物。
［Ｃ３２］
ドッキングホストによって管理されるドッキング環境と被ドッキング物をドッキングさせるために構成される前記ドッキングホストであって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合されたワイヤレス被ドッキング物インタフェースと、を備え、
前記少なくとも１のプロセッサは、
前記ドッキングホストへの前記被ドッキング物の着座の時点で前記無線充電回路を前記被ドッキング物と結合させ、
前記無線充電回路と前記被ドッキング物の前記結合に対応して前記被ドッキング物のドッキング意思を決定し、及び
前記被ドッキング物の前記ドッキング意思に従って前記被ドッキング物を前記ドッキング環境とドッキングさせるように構成される、ドッキングホスト。
［Ｃ３３］
前記少なくとも１つのプロセッサは、
前記被ドッキング物が前記ドッキング環境とドッキングされた状態である間に前記ワイヤレス充電回路上において前記被ドッキング物以外のデバイスを受信し、
前記デバイスとドッキングせずに前記ワイヤレス充電器を利用して前記デバイスを充電するようにさらに構成されるＣ３２に記載のドッキングホスト。
［Ｃ３４］
前記少なくとも１つのプロセッサは、
前記被ドッキング物と通信するための通信インタフェースの不活動を示す不活動タイマの時間切れに応答して前記被ドッキング物と前記ドッキング環境との間での前記ドッキングを終了させるようにさらに構成されるＣ３２に記載のドッキングホスト。
［Ｃ３５］
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記被ドッキング物と通信するために前記少なくとも１つのプロセッサに通信可能な形で結合された通信インタフェースと、を備え、
前記少なくとも１のプロセッサは、
前記ドッキングホストに着座するように構成され、ここにおいて、前記ドッキングホストは、無線充電回路を備え、及び
前記被ドッキング物のドッキング意思に従って前記ドッキング環境とドッキングするように構成され、ここにおいて、前記ドッキング意思は、前記ドッキングホストへの前記着座によって前記ドッキングホストにシグナリングされる、被ドッキング物。
［Ｃ３６］
前記少なくとも１つのプロセッサは、前記ワイヤレス充電器から取り外されている間に前記ドッキング環境との前記ドッキングを維持するようにさらに構成されるＣ３５に記載の被ドッキング物。
［Ｃ３７］
ドッキングホストによって管理されるドッキング環境とドッキングするために構成された被ドッキング物であって、
少なくとも１つのプロセッサと、
前記少なくとも１つのプロセッサに通信可能な形で結合されたメモリと、
前記被ドッキング物を無線で充電するために前記少なくとも１つのプロセッサに通信可能な形で結合された無線充電回路と、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記ドッキングホストと通信するために前記少なくとも１つのプロセッサに通信可能な形で結合された通信インタフェースと、を備え、
前記少なくとも１のプロセッサは、
前記被ドッキング物における無線充電インタフェースを利用してワイヤレス充電器との結合を確立するために前記ワイヤレス充電器に着座し、
前記被ドッキング物における無線ドッキングホストインタフェースを通じて、前記ワイヤレス充電器への前記着座に応じて前記ドッキングホストに信用情報を送信し、及び
前記信用情報に従って前記ドッキング環境とドッキングするように構成され、
前記ドッキング環境は、前記ワイヤレス充電器を周辺機器として備える、被ドッキング物。
［Ｃ３８］
前記少なくとも１つのプロセッサは、
前記ワイヤレス充電器に前記着座する前に、前記ドッキングホストとの第１のドッキングセッションを確立し、
前記第１のドッキングセッションに従って前記メモリにおいて前記信用情報を格納し、及び
前記ワイヤレス充電器への前記着座前に前記第１のドッキングセッションを終了させるようにさらに構成されるＣ３７に記載の被ドッキング物。
［Ｃ３９］
ワイヤレス充電器を備える周辺機器が被ドッキング物を無線で充電するのを可能にするために構成されたドッキングホストであって、
少なくとも１つのプロセッサと、
前記少なくとも１つのプロセッサに通信可能な形で結合されたメモリと、
Ｂｌｕｅｔｏｏｔｈ  Ｌｏｗ  Ｅｎｅｒｇｙ（ＢＴＬＥ）プロトコル又はＷｉ−Ｆｉプロトコルのうちの１つを利用して前記ワイヤレス充電器と通信するために前記少なくとも１つのプロセッサに通信可能な形で結合された通信インタフェースと、を備え、
前記少なくとも１のプロセッサは、
前記被ドッキング物とのドッキングセッションを確立し、
前記被ドッキング物が前記ワイヤレス充電器に着座したことを示す情報を前記ワイヤレス充電器から受信し、及び
無線充電機能が認可されていることを示す権限を前記ワイヤレス充電器に送信するように構成される、ドッキングホスト。
［Ｃ４０］
モバイルデバイスを無線で充電するために構成されたワイヤレス充電器であって、
少なくとも１つのプロセッサと、
前記少なくとも１つのプロセッサに通信可能な形で結合されたメモリと、
ドッキングホストと無線で通信するために前記少なくとも１つのプロセッサに通信可能な形で結合された通信インタフェースと、
前記モバイルデバイスを無線で充電するために前記少なくとも１つのプロセッサに通信可能な形で結合された無線充電回路と、を備え、
前記少なくとも１のプロセッサは、
前記ドッキングホストと対にするように構成され、前記ワイヤレス充電器は、前記ドッキングホストによって管理されるドッキング環境における周辺機器であり、
前記モバイルデバイスが前記ワイヤレス充電器に着座していると決定するように構成され、
前記モバイルデバイスを無線で充電するための権限を前記ドッキングホストに要求するように構成され、
前記ドッキングホストから前記権限を受信するように構成され、及び
前記モバイルデバイスを充電するための無線充電機能をイネーブルにするように構成される、ワイヤレス充電器。
［Ｃ４１］
ドッキングホストによって管理されるドッキング環境と被ドッキング物をドッキングさせるために構成される前記ドッキングホストであって、
ワイヤレス充電器への前記被ドッキング物の着座に応じて前記ドッキングホストから前記被ドッキング物に信用情報を送信するための手段と、
前記被ドッキング物との認証／関連付け動作を開始することを求める要求を前記被ドッキング物から受信するための手段と、
前記信用情報に従って前記被ドッキング物を前記ドッキング環境とドッキングさせるための手段と、を備える、ドッキングホスト。
［Ｃ４２］
ドッキングホストによって管理されるドッキング環境とドッキングするために構成された被ドッキング物であって、
ワイヤレス充電器への前記被ドッキング物の着座に応じて前記ドッキングホストから信用情報を受信するための手段と、
前記ドッキングホストとの認証／関連付け動作を開始することを求める要求を送信するための手段と、
前記信用情報に従って前記ドッキング環境とドッキングするための手段と、を備える、被ドッキング物。
［Ｃ４３］
ドッキングホストによって管理されるドッキング環境と被ドッキング物をドッキングさせるために構成された前記ドッキングホストであって、
前記ドッキングホストへの前記被ドッキング物の着座の時点で前記ドッキングホストにおける無線充電回路を前記被ドッキング物と結合させるための手段と、
前記被ドッキング物のドッキング意思を示す情報を前記ワイヤレスドッキングホストに送信するための手段と、
前記被ドッキング物の前記ドッキング意思に従って前記被ドッキング物を前記ドッキング環境とドッキングさせるための手段と、を備える、ドッキングホスト。
［Ｃ４４］
ドッキングホストによって管理されるドッキング環境とドッキングするために構成された被ドッキング物であって、
前記ドッキングホストに着座するための手段であって、前記ドッキングホストは、無線充電回路を備える手段と、
前記被ドッキング物のドッキング意思に従って前記ドッキング環境とドッキングするための手段であって、前記ドッキング意思は、前記ドッキングホストへの前記着座によって前記ドッキングホストにシグナリングされる手段と、を備える、被ドッキング物。
［Ｃ４５］
ドッキングホストによって管理されるドッキング環境とドッキングするために構成された被ドッキング物であって、
前記被ドッキング物における無線充電インタフェースを利用してワイヤレス充電器との結合を確立するために前記ワイヤレス充電器に着座するための手段と、
前記被ドッキング物におけるワイヤレスドッキングホストインタフェースを通じて、前記ワイヤレス充電器への前記着座に応じて前記ドッキングホストに信用情報を送信するための手段と、
前記信用情報に従って前記ドッキング環境とドッキングするための手段と、を備え、前記ドッキング環境は、前記ワイヤレス充電器を周辺機器して備える、被ドッキング物。
［Ｃ４６］
ワイヤレス充電器を備える周辺機器が被ドッキング物を無線で充電するのを可能にするために構成されたドッキングホストであって、
前記ドッキングホストにおいてワイヤレス被ドッキング物インタフェースを利用して前記被ドッキング物とのドッキングセッションを確立するための手段と、
前記被ドッキング物が前記ワイヤレス充電器に着座したことを示す情報を前記ワイヤレス充電器から受信するための手段と、
無線充電機能が認可されていることを示す権限を前記ワイヤレス充電器に送信するための手段と、を備える、ドッキングホスト。
［Ｃ４７］
モバイルデバイスを無線で充電するために構成されたワイヤレス充電器であって、
ドッキングホストと対にするための手段であって、前記ワイヤレス充電器は、前記ドッキングホストによって管理されるドッキング環境における周辺機器である手段と、
前記モバイルデバイスが前記ワイヤレス充電器に着座していると決定するための手段と、
前記モバイルデバイスを無線で充電するための権限を前記ドッキングホストに要求するための手段と、
前記ドッキングホストから前記権限を受信するための手段と、
前記モバイルデバイスを充電するための無線充電機能をイネーブルにするための手段と、を備える、ワイヤレス充電器。
［Ｃ４８］
前記ドッキングホストによって管理されるドッキング環境と被ドッキング物をドッキングさせるために構成された前記ドッキングホストにおいて動作可能なコンピュータによって読み取り可能な記憶媒体であって、
ワイヤレス充電器への前記被ドッキング物の着座に応じて前記ドッキングホストから前記被ドッキング物に信用情報を送信することをコンピュータに行わせるための命令と、
前記被ドッキング物との認証／関連付け動作を開始することを求める要求を前記被ドッキング物から受信することをコンピュータに行わせるための命令と、
前記信用情報に従って前記被ドッキング物を前記ドッキング環境とドッキングさせることをコンピュータに行わせるための命令と、を備える、コンピュータによって読み取り可能な記憶媒体。
［Ｃ４９］
ドッキングホストによって管理されるドッキング環境とドッキングするために構成された被ドッキング物において動作可能なコンピュータによって読み取り可能な記憶媒体であって、
ワイヤレス充電器への前記被ドッキング物の着座に応じて前記ドッキングホストから信用情報を受信することをコンピュータに行わせるための命令と、
前記ドッキングホストとの認証／関連付け動作を開始することを求める要求を送信することをコンピュータに行わせるための命令と、
前記信用情報に従って前記ドッキング環境とドッキングすることをコンピュータに行わせるための命令と、を備える、コンピュータによって読み取り可能な記憶媒体。
［Ｃ５０］
ドッキングホストによって管理されるドッキング環境と被ドッキング物をドッキングさせるために構成された前記ドッキングホストにおいて動作可能なコンピュータによって読み取り可能な記憶媒体であって、
前記ドッキングホストへの前記被ドッキング物の着座の時点で前記ドッキングホストにおける無線充電回路を前記被ドッキング物と結合させることをコンピュータに行わせるための命令と、
前記被ドッキング物のドッキング意思を示す情報を前記ワイヤレスドッキングホストに送信することをコンピュータに行わせるための命令と、
前記被ドッキング物の前記ドッキング意思に従って前記被ドッキング物を前記ドッキング環境とドッキングさせることをコンピュータに行わせるための命令と、を備える、コンピュータによって読み取り可能な記憶媒体。
［Ｃ５１］
ドッキングホストによって管理されるドッキング環境とドッキングするために構成された被ドッキング物において動作可能なコンピュータによって読み取り可能な記憶媒体であって、
前記被ドッキング物のドッキング意思に従って前記ドッキング環境とドッキングすることをコンピュータに行わせるための命令であって、前記ドッキング意思は、前記ドッキングホストへの前記着座によって前記ドッキングホストにシグナリングされる命令、を備える、コンピュータによって読み取り可能な記憶媒体。
［Ｃ５２］
ドッキングホストによって管理されるドッキング環境とドッキングするために構成された被ドッキング物において動作可能なコンピュータによって読み取り可能な記憶媒体あって、
前記被ドッキング物における無線充電インタフェースを利用してワイヤレス充電器との結合を確立するために前記ワイヤレス充電器に着座することをコンピュータ行わせるための命令と、
前記被ドッキング物におけるワイヤレスドッキングホストインタフェースを通じて、前記ワイヤレス充電器への前記着座に応じて前記ドッキングホストに信用情報を送信することをコンピュータに行わせるための命令と、
前記信用情報に従って前記ドッキング環境とドッキングすることをコンピュータに行わせるための命令と、を備え、
前記ドッキング環境は、前記ワイヤレス充電器を周辺機器として備える、コンピュータによって読み取り可能な記憶媒体。
［Ｃ５３］
ワイヤレス充電器を備える周辺機器が被ドッキング物を無線で充電するのを可能にするために構成されたドッキングホストにおいて動作可能なコンピュータによって読み取り可能な記憶媒体であって、
前記ドッキングホストにおけるワイヤレス被ドッキング物インタフェースを利用して前記被ドッキング物とのドッキングセッションを確立することをコンピュータに行わせるための命令と、
前記被ドッキング物が前記ワイヤレス充電器に着座したことを示す情報を前記ワイヤレス充電器から受信することをコンピュータに行わせるための命令と、
無線充電機能が認可されていることを示す権限を前記ワイヤレス充電器に送信することをコンピュータに行わせるための命令と、を備える、コンピュータによって読み取り可能な記憶媒体。
［Ｃ５４］
モバイルデバイスを無線で充電するために構成されたワイヤレス充電器において動作可能なコンピュータによって読み取り可能な記憶媒体であって、
ドッキングホストと対にすることをコンピュータに行わせるための命令であって、前記ワイヤレス充電器は、前記ドッキングホストによって管理されるドッキング環境における周辺機器である命令と、
前記モバイルデバイスが前記ワイヤレス充電器に着座していると決定することをコンピュータに行わせるための命令と、
前記モバイルデバイスを無線で充電するための権限を前記ドッキングホストに要求することをコンピュータに行わせるための命令と、
前記ドッキングホストから前記権限を受信することをコンピュータに行わせるための命令と、
前記モバイルデバイスを充電するための無線充電機能をイネーブルにすることをコンピュータに行わせるための命令と、を備える、コンピュータによって読み取り可能な記憶媒体。